(57)【特許請求の範囲】
【請求項１】
（ａ）下記一般式（Ｉ）で表されるポリオキシエチレン脂肪酸アミド０．１〜３０質量％、（ｂ）芳香族カルボン酸又はその塩０．１〜１０質量％、（ｃ）アミンオキシド型界面活性剤０．５〜１０質量％を含有し、（ａ）：（ｂ）の質量比が１：１〜１０：１であり、かつ、（ａ）のポリオキシエチレン脂肪酸アミドを構成するオキシエチレン基として、
オキシエチレン基１モル        ：１０〜４０質量％
オキシエチレン基２モル        ：２０〜５０質量％
オキシエチレン基３モル        ：１０〜３５質量％
オキシエチレン基４モル        ：  ０〜２０質量％
オキシエチレン基５モル以上    ：      １０質量％未満
からなるポリオキシエチレン脂肪酸アミドを含有することを特徴とする台所用液体洗浄剤組成物。
【化１】
0003995445.tif 000015
【発明の詳細な説明】
【０００１】
【発明の属する技術分野】
本発明は、台所用液体洗浄剤組成物に関し、更に詳しくは、泡立ちが良く、低温安定性に優れ、しかも洗浄時の手肌感触に優れた台所用液体洗浄剤組成物に関する。
【０００２】
【従来の技術】
従来より、各種の食器、調理具や、住居用に用いられているガラス・陶器などの硬表面を洗浄するための洗浄剤としては、アニオン界面活性剤、ノニオン界面活性剤、両性界面活性剤などが適宜組み合わされて使用されている。
【０００３】
これらの洗浄剤は、優れた洗浄性能を有するものとして市販されているが、アニオン界面活性剤を高濃度に配合しているために、洗浄時のぬるつきが起きやすくなってきている。また、洗浄時にぬるつきがあると、使用時に滑りやすく洗いにくいばかりか、洗浄後の手肌への残存感があり、洗浄後のすすぎに大量の水を使用することとなり、作業性や経済性の点で問題となる。
【０００４】
そこで、従来から手の感触を向上させた洗浄剤組成物としては、例えば、ノニオン界面活性剤を多量に配合したもの（特開平２−６０９９９号公報）等が提案されているが、高濃度系における低温安定性が保証されていないこと、ノニオン性界面活性剤を多量に配合するため、アニオン界面活性剤が少なくなり泡立ち性が不足すること等の課題を有するものであった。このため、手の感触を向上させる組成物の開発が強く要望されている。
【０００５】
一方、特開２０００−１４４１８１号公報では、手の感触を向上させるため、芳香族カルボン酸を配合し、酸解離度を５〜９５％の範囲になるように調整することにより、その目的を達成しているが、本願発明に用いるポリオキシエチレン脂肪酸アミドの配合は考慮されておらず、本願発明とは技術思想が相違するものである。
【０００６】
【本発明が解決しようとする課題】
本発明は、上記従来技術の課題等に鑑み、これを解消しようとするものであり、泡立ちが良く、低温保存時の液安定性に優れ、しかも洗浄時の手肌の感触に優れた台所用液体洗浄剤組成物を提供することを目的とする。
【０００７】
【課題を解決するための手段】
本発明者らは、上記従来の課題等を解決するために鋭意検討した結果、ポリオキシアルキレン脂肪酸アミド、芳香族カルボン酸を特定の比率で配合することにより、上記目的の台所用液体洗浄剤組成物が得られることを見い出し、本発明を感性するに至ったのである。
すなわち、本発明の台所用液体洗浄剤組成物は、（ａ）下記一般式（Ｉ）で表されるポリオキシエチレン脂肪酸アミド０．１〜３０質量％、（ｂ）芳香族カルボン酸又はその塩０．１〜１０質量％、（ｃ）アミンオキシド型界面活性剤０．５〜１０質量％を含有し、（ａ）：（ｂ）の質量比が１：１〜１０：１であり、かつ、（ａ）のポリオキシエチレン脂肪酸アミドを構成するオキシエチレン基として、
オキシエチレン基１モル        ：１０〜４０質量％
オキシエチレン基２モル        ：２０〜５０質量％
オキシエチレン基３モル        ：１０〜３５質量％
オキシエチレン基４モル        ：  ０〜２０質量％
オキシエチレン基５モル以上    ：      １０質量％未満
からなるポリオキシエチレン脂肪酸アミドを含有することを特徴とする。
【化２】
0003995445.tif 000002
【０００８】
【発明の実施の形態】
以下に、本発明の実施の形態を詳細に説明する。なお、以下において、「％」は質量％を意味する。
本発明の台所用液体洗浄剤組成物（以下、「液体洗浄剤組成物」という）は、（ａ）下記一般式（Ｉ）で表されるポリオキシエチレン脂肪酸アミド０．１〜３０質量％、（ｂ）芳香族カルボン酸又はその塩０．１〜１０質量％、（ｃ）アミンオキシド型界面活性剤０．５〜１０質量％を含有し、（ａ）：（ｂ）の質量比が１：１〜１０：１であり、かつ、（ａ）のポリオキシエチレン脂肪酸アミドを構成するオキシエチレン基として、
オキシエチレン基１モル        ：１０〜４０質量％
オキシエチレン基２モル        ：２０〜５０質量％
オキシエチレン基３モル        ：１０〜３５質量％
オキシエチレン基４モル        ：  ０〜２０質量％
オキシエチレン基５モル以上    ：      １０質量％未満
からなるポリオキシエチレン脂肪酸アミドを含有することを特徴とするものである。
【化３】
0003995445.tif 000003
【０００９】
本発明に用いる（ａ）成分のポリオキシエチレン脂肪酸アミドは、下記一般式（Ｉ）で表わされるものが用いられる。
【化３】
0003995445.tif 000004
本発明に用いられるポリオキシエチレン脂肪酸アミドの脂肪酸残基は、炭素原子数６〜２２の直鎖もしくは分岐鎖の飽和または不飽和の脂肪酸残基であり、例えば、カプリン酸、ラウリン酸、ミリスチン酸、パルミチン酸、イソステアリン酸、オレイン酸、ヤシ油脂肪酸、パーム油脂肪酸、パーム核油脂肪酸などが挙げられ、これらは単一または２種以上の混合物でも良い。これらの中でも、高い洗浄性能を発揮する点で、ラウリン酸またはヤシ油脂肪酸が好ましい。
【００１０】
本発明における上記一般式（Ｉ）において、高い洗浄性能を発揮する点で、オキシエチレン基に限定したものである。また、本発明において、上記一般式（Ｉ）におけるｎは平均で１〜４の数であり、高い泡性能を発揮する点で３以下であることが好ましい。
【００１１】
本発明で用いられるポリオキシエチレン脂肪酸アミドを構成するオキシエチレン基は、
オキシエチレン基１モル        ：１０〜４０％
オキシエチレン基２モル        ：２０〜５０％
オキシエチレン基３モル        ：１０〜３５％
オキシエチレン基４モル        ：  ０〜２０％
オキシエチレン基５モル以上    ：      １０％未満
から成る分布範囲である。
このオキシエチレン基の分布が上記範囲外であると、洗浄性能または低温保存時の液安定性が損なわれることがあるため、好ましくない。
このオキシエチレン基が上記範囲に入るようなポリオキシエチレン脂肪酸アミドの製造法は、特に限定されず、例えば、脂肪酸メチルにモノエタノールアミン、ナトリウムメトキシドを加えて減圧下、８０℃でアミド化した後、エチレンオキシドを加えて、９０℃で付加反応させる手法などが挙げられる。
【００１２】
本発明に用いる上記（ａ）成分のポリオキシエチレン脂肪酸アミドの含有量は、液体洗浄剤組成物全量に対して、０．１〜３０％、好ましくは、１〜２０％とすることが望ましい。
この（ａ）成分の含有量が０．１％未満では、十分な泡性能を発揮できず、また、３０％を超えると、長期保存安定性に優れた洗浄剤組成物の製造が困難となる。
【００１３】
本発明に用いる（ｂ）成分の芳香族カルボン酸又はその塩としては、例えば、下記一般式(II)で表わされるもの又はその塩が挙げられる。
【化２】
0003995445.tif 000005
これらの上記一般式(II)で表わされる芳香族カルボン酸又はその塩としては、例えば、安息香酸、サリチル酸、トルイル酸、ジメチル安息香酸、エチル安息香酸、ジヒドロキシ安息香酸などが挙げられ、また、これらの塩（Ｎａ塩、Ｋ塩、Ｍｇ塩、Ｃａ塩、アンモニウム塩）などが挙げられる。
【００１４】
本発明に用いる（ｂ）成分の含有量は、液体洗浄剤組成物全量に対して、０．１〜１０％、好ましくは、０．５〜５％とすることが望ましい。
この（ｂ）成分の含有量が０．１％未満では、低温安定性や手肌への感触が不十分であり、また、１０％を越えると、液体洗浄剤組成物を安定に配合することが難しいこととなる。
【００１５】
本発明においては、上記（ａ）成分のポリオキシエチレン脂肪酸アミドと上記（ｂ）成分の芳香族カルボン酸の質量比は、１０：１〜１：１とすることが必要であり、好ましくは、１０：１〜２：１とすることが望ましい。
上記（ａ）成分のポリオキシエチレン脂肪酸アミドが（ｂ）成分の芳香族カルボン酸より１０倍を越えて配合されると、手肌の感触が不十分となり、また、等量未満では、泡性能が劣化するため、好ましくない。
【００１６】
本発明の液体洗浄剤組成物には、更に、（ｃ）成分として、アミンオキシド型界面活性剤を含有せしめることが好ましい。
本発明に用いることができる（ｃ）成分のアミンオキシド型界面活性剤としては、例えば、ラウリルジメチルアミンオキシド、ラウロイルアミドプロピルジメチルアミンオキシドなどが挙げられる。
この（ｃ）成分のアミンオキシド型界面活性剤は、主に、洗浄性能の向上、洗浄剤による手荒れ防止目的で使用するものであり、液体洗浄剤組成物全量に対して、０．５〜１０％含有されることが好ましく、更に好ましくは、１〜５％とすることが望ましい。
この（ｃ）成分の含有量が０．５％未満であると、アミンオキシド型界面活性剤配合の効果が発揮されず、また、１０％を越えて含有しても、効果は変わらず、コスト的に不経済となる。
【００１７】
本発明の液体洗浄剤組成物には、更に、従来から使用されてきたアニオン界面活性剤や、非イオン界面活性剤や、両性界面活性剤、更にはその他の界面活性作用を有する化合物を本発明の効果を損なわない範囲で任意に組み合わせて使用して良い。
これらの中でも、好ましい界面活性作用を有する物質としてアニオン界面活性剤、非イオン界面活性剤、及び両性界面活性剤を挙げることができる。
【００１８】
好ましい混合可能なアニオン界面活性剤としては、例えば、アルキルベンゼンスルホン酸塩、α−オレフィンスルホン酸塩、アルキル硫酸塩、ポリオキシエチレンアルキル硫酸塩、アルキルエーテルカルボン酸塩、α−スルホ脂肪酸塩、石鹸、アミドエーテルカルボン酸塩、スルホコハク酸塩、アミノ酸系アニオン界面活性剤などが挙げられるが、これらに限定されない。
【００１９】
また、好ましい混合可能な非イオン界面活性剤としては、例えば、ポリオキシエチレンアルキルエーテル、ソルビタン脂肪酸エステル、ポリオキシエチレン脂肪酸エステル、アルキルポリグルコシド、脂肪酸グリコシドエステル、脂肪酸メチルグリコシドエステル、アルキルメチルグルカミド、アルキルアミンオキシドなどが一例として挙げられる。
【００２０】
更に、好ましく配合可能な両性界面活性剤の例としては、例えば、アルキルベタイン、アルキルヒドロキシスルホベタイン、アルキルアミドベタイン、イミダゾリニウムベタイン、Ｎ−アルキルアミノ酸などが挙げられる。
【００２１】
これらの界面活性剤は、単独で或いは適当な２種以上の組み合わせで配合可能である。
これらの界面活性剤は、好ましくは合計量で液体洗浄剤組成物全量に対して、１０〜６０％の範囲で使用することが望ましい。これらの合計配合量が、１０％未満であると、十分な洗浄性能が得られず、６０％を越えると、長期保存時に沈殿などを生じやすいため、好ましくない。
【００２２】
また、本発明の液体洗浄剤組成物には、従来から使用されてきた他の添加物を本発明の効果を損なわない範囲で任意に組み合わせて配合してもよい。
配合可能な好ましい添加成分としては、例えば、グリコール酸、クエン酸、ＥＤＴＡ等の金属キレート剤、マグネシウム塩やカルシウム塩等の無機塩、低級アルコールやプロピレングリコール等の液体溶剤、ＢＨＴ、アスコルビン酸等の酸化防止剤、芳香族スルホン酸などの液性調整剤、硫酸亜鉛、ポリリジン等の殺菌剤、天然多糖類や粘度鉱物等の粘度調整剤、着色剤、消炎剤、植物抽出物、酵素等の薬効成分、ｐＨ調整剤、香料、香料用溶剤、香料安定化剤などの通常用いられる物質が挙げられる。また、溶媒として通常は水（精製水、イオン交換水、純水等）が使用される。
本発明の液体洗浄剤組成物の粘度としては、２５℃において、通常、３０〜６００ｍＰａ・ｓ、好ましくは５０〜４００ｍＰａ・ｓの範囲に調整される。
また、本発明の液体洗浄剤組成物は、使用性、手肌への刺激性の点等からｐＨ（原液）をｐＨ調整剤等により、５．０〜８．０にすることが好ましい。
【００２３】
香料として使用される香料原料のリストは、様々な文献、例えば「Ｐｅｒｆｕｍｅ  ａｎｄ  Ｆｌａｖｏｒ  Ｃｈｅｍｉｃａｌｓ  」，Ｖｏｌ．Ｉ ａｎｄ II，Ｓｔｅｆｆｅｎ  Ａｒｃｔａｎｄｅｒ，Ａｌｌｕｒｅｄ  Ｐｕｂ．Ｃｏ．（１９９４）および「合成香料  化学と商品知識」、印藤元一著、化学工業日報社（１９９６）および「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ  」，Ｓｔｅｆｆｅｎ  Ａｒｃｔａｎｄｅｒ，Ａｌｌｕｒｅｄ  Ｐｕｂ．Ｃｏ．（１９９４）および「香りの百科」、日本香料協会編、朝倉書店（１９８９）および「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）および「Ｆｌｏｗｅｒ  ｏｉｌｓ  ａｎｄ  Ｆｌｏｒａｌ  ＣｏｍｐｏｕｎｄｓＩｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等で見られ、それぞれを引用することにより本明細書の開示の一部とされる。
【００２４】
香料用溶剤としては、例えば、エタノール、アセチン（トリアセチン）、ＭＭＢアセテート（３−メトキシ−３−メチルブチルアセテート）、エチレングリコールジブチレート、ヘキシレングリコール、ジブチルセバケート、デルチールエキストラ（イソプロピルミリステート）、メチルカルビトール（ジエチレングリコールモノメチルエーテル）、カルビトール（ジエチレングリコールモノエチルエーテル）、ＴＥＧ（トリエチレングリコール）、安息香酸ベンジル、プロピレングリコール、フタル酸ジエチル、トリプロピレングリコール、アボリン（ジメチルフタレート）、デルチルプライム（イソプロピルパルミテート）、ジプロピレングリコールＤＰＧ−ＦＣ（ジプロピレングリコール）、ファルネセン、ジオクチルアジペート、トリブチリン（グリセリルトリブタノエート）、ヒドロライト−５（１，２−ペンタンジオール）、プロピレングリコールジアセテート、セチルアセテート（ヘキサデシルアセテート）、エチルアビエテート、アバリン（メチルアビエテート）、シトロフレックスＡ−２（アセチルトリエチルシトレート）、シトロフレックスＡ−４（トリブチルアセチルシトレート）、シトロフレックスＮｏ．２（トリエチルシトレート）、シトロフレックスＮｏ．４（トリブチルシトレート）、ドゥラフィックス（メチルジヒドロアビエテート）、ＭＩＴＤ（イソトリデシルミリステート）、ポリリモネン（リモネンポリマー）、プロピレングリコール、１，３−ブチレングリコール等が挙げられる。
これら香料用溶剤は、香料組成物中に０．１〜９９％配合されるが、好ましくは、０．１〜１０％配合される。
【００２５】
また、香料安定化剤としては、ジブチルヒドロキシトルエン、ブチルヒドロキシアニソール、ビタミンＥとその誘導体、カテキン化合物、フラボノイド化合物、ポリフェノール化合物等が挙げられ、香料組成中に０．０００１〜１０％配合されるが、好ましくは、０．００１〜５％配合される。これらの中で、好ましい安定化剤としては、ジブチルヒドロキシトルエンである。
本発明において、香料組成物とは、前記の香料成分、溶剤、香料安定化剤等からなる混合物である。本発明の液体洗浄剤組成物には、香料組成物が０．０００１〜１５％配合されるが、好ましくは、０．００１〜１０％配合される。
【００２６】
本発明の液体洗浄剤組成物は、容器口部にキャップが装着され、該キャップの天面部に内外を貫く所定長さの注出口が形成されており、かつ容器本体の胴部を０．５〜１．５Ｋｇ／ｃｍ2／秒の力で押圧した時に、キャップ天面部の注出口から1回当たり０．１〜４．５ｇ、より好ましくは０．１〜３．５ｇの内容液が排出されるように肉厚を設定した容器に収容された液体洗浄剤製品とすることが好ましい。
【００２７】
なお、前記注出口内部側の液流入面積は１２〜１００ｍｍ2、該注出口外部側の最小穴口径は１．５〜４．０ｍｍφの範囲とすることが好ましい。液流入面積が１２ｍｍ2よりも小さい場合は内溶液の排出量が少なくなり過ぎ、１００ｍｍ2を超える場合には、内溶液が一度に大量に出過ぎるおそれがある。
また、注出口外部側の最小穴口径が１．５ｍｍφよりも小さい場合は１回当たりの排出量が少なく、使用性が悪くなり、４．０ｍｍφを超える場合には排出される液体洗浄剤の流量が多過ぎ、量のコントロールが難しいこととなる。
【００２８】
このように構成される本発明では、（ａ）上記一般式（Ｉ）で表されるポリオキシエチレン脂肪酸アミド０．１〜３０質量％、（ｂ）芳香族カルボン酸又はその塩０．１〜１０質量％、（ｃ）アミンオキシド型界面活性剤０．５〜１０質量％とを含有し、上記（ａ）：（ｂ）の質量比が１：１〜１０：１であり、かつ、上記（ａ）成分のポリオキシエチレン脂肪酸アミドを構成するオキシエチレン基として、上記分布範囲のポリオキシエチレン脂肪酸アミドを用いることにより、初めて、泡立ちが良く、低温保存時の液安定性に優れ、しかも洗浄時の手肌の感触に優れた台所用液体洗浄剤組成物が得られることとなる。
【００２９】
【実施例】
次に、本発明を実施例及び比較例により、更に詳述するが、本発明は下記実施例に限定されるものではない。
【００３０】
〔実施例１〜４及び比較例１〜４〕
下記表１に示す各組成の液体洗浄剤組成物（全量１００％）を調製した。
得られた各液体洗浄剤組成物について、下記評価方法により、泡性能（起泡力、泡質）、低温保存時の液安定性、及び手肌への感触の評価を行った。具体的な組成物の組成、その含有量及び各評価結果を下記表１に示す。
なお、香料組成物は、下記表２〜９に記載の組成となる香料組成物Ａを用いた。また、各実施例及び各比較例に使用したポリオキシアルキレン脂肪酸アミドは脂肪酸のアルキル鎖長が１２、オキシアルキレン基としてオキシエチレン基（平均付加モル数は約２）であるものを使用した。また、ポリオキシアルキレン基の分布は下記のとおりであった。
オキシアルキレン基１モル        ：１９％
オキシアルキレン基２モル        ：３８％
オキシアルキレン基３モル        ：３０％
オキシアルキレン基４モル        ：１０％
オキシアルキレン基５モル以上    ：  ３％
【００３１】
〔起泡力の評価方法〕
スポンジ（スリーエム社製、スコッチブライト）に５％洗浄剤溶液４０ｇを染み込ませ、片手で１０回から２０回握り、泡を立てる。もう片方の手に1枚当たり０．５ｇのバターを塗布した直径２０ｃｍの陶器皿を持ち、上記のスポンジで１０回擦り洗いをする。擦り洗いの皿に泡が残らなくなるまでの皿の枚数を起泡力とした。
【００３２】
〔泡質の評価方法〕
洗浄剤組成物５％を含む水溶液を調整し、その２０ｇをスポンジに含ませ連続して１０回圧縮して泡立てた。その後０．５ｇのバターを塗布した皿の表面を１０回、裏面を５回スポンジでこすり洗いした時の泡の量と感触について、下記評価基準により官能評価を行い、泡質とした。
評価基準：
○：発生した泡の量が充分であり、しかもキメ細やかでクリーミーな感じの泡
×：発生した泡の量が不充分または、キメもが粗く水っぽい泡
【００３３】
〔手肌への感触の評価方法〕
スポンジ（スリーエム社製、スコッチブライト）に５％洗浄剤溶液４０ｇをしみこませ、片手で１０回から２０回握り、泡を立てる。もう片方の手に直径２０ｃｍの陶器皿を持ち、上記のスポンジで１０回擦り洗いをする。その後洗面器にはった３リットルの水道水中で、上記の泡のついた皿、スポンジをすすぐ。その際に両方の手で泡・すすぎ液の感触を見て、以下の評価基準でパネラー１０名以上の平均値として示した。
評価基準：
１点：著しくぬるつく
２点：１点よりは良いが著しくぬるつく
３点：ぬるつく
４点：３点よりは少ないが、ぬるつく
５点：ぬるつきがない
【００３４】
〔低温保存時の液安定性の評価方法〕
各液体洗浄剤組成物１００ｇをガラスビンに密閉し、−５℃で１ヶ月間静置したときの外観の変化を下記評価基準にて評価した。
評価基準：
○：沈殿、液分離を生じない
×：沈殿または液の分離が生じる
【００３５】
【表１】
0003995445.tif 000006
【００３６】
【表２】
0003995445.tif 000007
【００３７】
【表３】
0003995445.tif 000008
【００３８】
【表４】
0003995445.tif 000009
【００３９】
【表５】
0003995445.tif 000010
【００４０】
【表６】
0003995445.tif 000011
【００４１】
【表７】
0003995445.tif 000012
【００４２】
【表８】
0003995445.tif 000013
【００４３】
【表９】
0003995445.tif 000014
【００４４】
上記表１等の結果から明らかなように、本発明範囲となる実施例１〜４は、本発明の範囲外となる比較例１〜４に較べて、泡性能（起泡力、泡質）、低温保存時の液安定性及び手肌への感触に優れていることが判明した。
具体的に実施例を見ると、実施例１は、（ａ）成分のＣ１２ポリオキシエチレン脂肪酸アミドと（ｂ）成分の安息香酸ナトリウムを含有し、（ａ）：（ｂ）の質量比が５：２であり、実施例２〜４は実施例１と同様の（ａ）及び（ｂ）成分を含有し、その質量比が順次、８：５、１：１、１０：１であり、これらの場合は目的の泡性能（起泡力、泡質）、低温保存時の液安定性及び手肌への感触に優れていることが判る。
これに対して、比較例１は、（ａ）成分のポリオキシアルキレン脂肪酸アミドを含有しない場合であり、比較例２は、（ｂ）成分の芳香族カルボン酸又はその塩を含有しない場合であり、比較例３は、（ａ）：（ｂ）の質量比が３：５となる場合であり、比較例４は、（ａ）：（ｂ）の質量比が３０：１となる場合であり、これらの場合は、目的の優れた泡性能（起泡力、泡質）、低温保存時の液安定性及び手肌への感触に優れることの全ての要件を充足できないことが判る。
従って、以上の結果を考察すると、（ａ）上記一般式（Ｉ）で表されるポリオキシエチレン脂肪酸アミド０．１〜３０質量％、（ｂ）芳香族カルボン酸又はその塩０．１〜１０質量％、（ｃ）アミンオキシド型界面活性剤０．５〜１０質量％を含有し、上記（ａ）成分：（ｂ）成分の質量比を１：１〜１０：１とし、かつ、（ａ）のポリオキシエチレン脂肪酸アミドを構成するオキシエチレン基を上記分布範囲とするものを用いることにより、初めて、泡性能（起泡力、泡質）が良く、低温保存時の液安定性に優れ、しかも洗浄時の手肌の感触に優れた液体洗浄剤組成物となることが判明した。
【００４５】
〔実施例５〜１１〕
次に、本発明の液体洗浄剤組成物を各種の用途に応じて配合した実施例を以下に示す。
（実施例５）
以下に示す組成のマイルドタイプの台所用洗剤を製造した。香料組成物には上記表２〜９記載の香料組成物Ｂを使用した。この台所用洗剤の起泡力、泡質、低温保存時の液安定性、手肌への感触については、上記各評価方法に沿って評価したところ非常に優れていた〔起泡力１２、泡質○、低温保存時の液安定性○、手肌への感触４．９〕。
なお、実施例５〜１１の香気安定性を確認するため、使用した容器は２００ｍL容量で、検討した材質は、ポリエチレン、ポリプロピレン、ポリエチレンテレフタレート、ナイロン、ポリエチレン／ナイロン複合素材、ナイロン／ポリプロピレン／アルミ／ポリエチレン複合素材、ポリエチレンテレフタレート／アルミ／ナイロン／ポリエチレン複合素材であったが、いずれも香気は正常であった。
【００４６】
（台所用洗剤成分）
ポリオキシエチレン脂肪酸アミド                        １０．０％
Ｃ１２ポリオキシエチレンアルキル硫酸Ｎａ（ｎ＝３）      ２．０％
直鎖アルキル（Ｃ１１〜１４）ベンゼンスルホン酸Ｎａ      ２．０％
Ｃ１２アルキルジメチルアミンオキシド                    １．０％
椰子油脂肪酸アミドプロピルベタイン                      ５．０％
Ｃ１２ポリオキシエチレンアルキルエーテル（ｎ＝１５）  １０．０％
ポリエチレングリコール（重量平均分子量１０００）        ２．０％
エタノール                                              ５．０％
安息香酸Ｎａ塩                                          ５．０％
キシレンスルホン酸                                      中和量
クエン酸ナトリウム                                      １．０％
黄色２０３号                                            １．２ｐｐｍ
香料組成物Ｂ                                            ０．１％
精製水                                                  残部
ｐＨ（原液）                                            ６．５
【００４７】
（実施例６）
以下に示す組成の弱酸マイルドタイプの台所用洗剤を製造した。香料組成物には上記表２〜９記載の香料組成物Ａを使用した。この台所用洗剤の起泡力、泡質、低温保存時の液安定性、手肌への感触については、上記各評価方法に沿って評価したところ非常に優れていた〔起泡力１２、泡質○、低温保存時の液安定性○、手肌への感触４．９〕。
（台所用洗剤成分）
ポリオキシエチレン脂肪酸アミド                        ８．０％
Ｃ１２アルキル硫酸Ｎａ                                １．０％
Ｃ１２ポリオキシエチレンアルキル硫酸Ｎａ（ｎ＝３）    ７．０％
α−オレフィン（Ｃ１４）スルホン酸Ｎａ塩              ２．０％
Ｃ１２アルキルジメチルアミンオキシド                  ２．０％
ポリオキシエチレン（１５）ラウリルエーテル          １０．０％
ポリエチレングリコール（重量平均分子量１０００）      ２．０％
エタノール                                            ７．０％
安息香酸Ｎａ塩                                        ５．０％
パラトルエンスルホン酸                                中和量
クエン酸ナトリウム                                    １．０％
黄色２０３号                                          １．２ｐｐｍ
香料組成物Ａ                                          ０．１％
精製水                                                残部
ｐＨ（原液）                                          ５．５
【００４８】
（実施例７）
以下に示す組成の台所用洗剤を製造した。香料組成物には上記表２〜９記載の香料組成物Ａを使用した。この台所用洗剤の起泡力、泡質、低温保存時の液安定性、手肌への感触については、上記各評価方法に沿って評価したところ非常に優れていた〔起泡力１３、泡質○、低温保存時の液安定性○、手肌への感触４．６〕。
（台所用洗剤成分）
ポリオキシアルキレン脂肪酸アミド                      ３．０％
Ｃ１２アルキル硫酸Ｎａ                                ４．０％
Ｃ１２ポリオキシエチレンアルキル硫酸Ｎａ（ｎ＝３）    ２．０％
α−オレフィン（Ｃ１４）スルホン酸Ｎａ塩              ８．０％
Ｃ１２ジメチルアミンオキシド                          ６．０％
ポリエチレングリコール（重量平均分子量１０００）      ３．０％
エタノール                                            ４．０％
安息香酸Ｎａ塩                                        ２．０％
パラトルエンスルホン酸                                中和量
クエン酸ナトリウム                                    １．０％
香料組成物Ａ                                          ０．１％
精製水                                                残部
ｐＨ（原液）                                          ６．５
【００４９】
（実施例８）
以下に示す組成の台所用洗剤を製造した。香料組成物には上記表２〜９記載の香料組成物Ｂを使用した。この台所用洗剤の起泡力、泡質、低温保存時の液安定性、手肌への感触については、上記各評価方法に沿って評価したところ非常に優れていた〔起泡力１３、泡質○、低温保存時の液安定性○、手肌への感触４．５〕。
（台所用洗剤成分）
ポリオキシアルキレン（２）脂肪酸アミド                ３．０％
Ｃ１２アルキル硫酸Ｎａ                                ４．０％
Ｃ１２ポリオキシエチレンアルキル硫酸Ｎａ（ｎ＝４）  １５．０％
Ｃ１２ジメチルアミンオキシド                          ９．０％
ポリオキシエチレン（１０）ラウリルエーテル            ４．０％
ポリエチレングリコール（重量平均分子量１０００）      ４．０％
Ｃ１２アルキルポリグルコシド                          ４．０％
エタノール                                            ５．０％
安息香酸Ｎａ塩                                        ３．０％
パラトルエンスルホン酸                                中和量
クエン酸ナトリウム                                    １．０％
黄色２０３号                                          １．２ｐｐｍ
香料組成物Ｂ                                          ０．１％
精製水                                                残部
ｐＨ（原液）                                          ６．０
【００５０】
（実施例９）
以下に示す組成の台所用洗剤を製造した。香料組成物には上記表２〜９記載の香料組成物Ｂを使用した。この台所用洗剤の起泡力、泡質、低温保存時の液安定性、手肌への感触については、上記各評価方法に沿って評価したところ非常に優れていた〔起泡力１３、泡質○、低温保存時の液安定性○、手肌への感触４．４〕。
（台所用洗剤成分）
ポリオキシアルキレン脂肪酸アミド                        ３．０％
Ｃ１２アルキル硫酸Ｎａ                                １４．０％
Ｃ１２ポリオキシエチレンアルキル硫酸Ｎａ（ｎ＝２）    １２．０％
Ｃ１２ジメチルアミンオキシド                            ６．０％
ポリオキシエチレン（１０）ラウリルエーテル              ４．０％
安息香酸Ｎａ塩                                          ３．０％
クメンスルホン酸                                        中和量
クエン酸ナトリウム                                      ３．０％
香料組成物Ｂ                                            ０．２％
精製水                                                  残部
ｐＨ（原液）                                            ６．８
【００５１】
（実施例１０）
以下に示す組成のジェルタイプの台所用洗剤を製造した。香料組成物には上記表２〜９記載の香料組成物Ｂを使用した。この台所用洗剤の起泡力、泡質、低温保存時の液安定性、手肌への感触については、上記各評価方法に沿って評価したところ非常に優れていた〔起泡力１４、泡質○、低温保存時の液安定性○、手肌への感触４．５〕。
（台所用洗剤成分）
ポリオキシアルキレン脂肪酸アミド                        ４．５％
Ｃ１２アルキル硫酸Ｎａ                                １３．０％
Ｃ１２ポリオキシエチレンアルキル硫酸Ｎａ（ｎ＝３）    １７．０％
Ｃ１２ジメチルアミンオキシド                            ３．０％
Ｃ１２ジメチルアミドプロピルアミンオキシド              ３．０％
Ｃ１２アルキルポリグルコシド                            ４．０％
Ｃ１２アルキルスルホベタイン                            ２．０％
エタノール                                              ５．０％
安息香酸Ｎａ塩                                          ２．０％
パラトルエンスルホン酸                                  中和量
クエン酸ナトリウム                                      １．０％
香料組成物Ｂ                                            ０．１％
精製水                                                  残部
ｐＨ（原液）                                            ６．５
【００５２】
（実施例１１）
以下に示す組成の液ジェルタイプの台所用洗剤を製造した。香料組成物には上記表２〜９記載の香料組成物Ａを使用した。この台所用洗剤の起泡力、泡質、低温保存時の液安定性、手肌への感触については、上記各評価方法に沿って評価したところ非常に優れていた〔起泡力１４、泡質○、低温保存時の液安定性○、手肌への感触４．６〕。
（台所用洗剤成分）
ポリオキシアルキレン（２）脂肪酸アミド                  ５．０％
Ｃ１２アルキル硫酸Ｎａ                                  １．０％
Ｃ１２ポリオキシエチレンアルキル硫酸Ｎａ（ｎ＝２）    １０．０％
直鎖アルキル（Ｃ１１〜１４）ベンゼンスルホン酸Ｎａ      ３．０％
Ｃ１２アルキルジメチルアミンオキシド                    ５．０％
椰子油脂肪酸アミドプロピルベタイン                      １．０％
Ｃ１２ポリオキシエチレンアルキルエーテル（ｎ＝１５）    ６．０％
ポリエチレングリコール（重量平均分子量１０００）        ２．０％
エタノール                                              ５．０％
安息香酸Ｎａ塩                                          ２．０％
パラトルエンスルホン酸                                  中和量
クエン酸ナトリウム                                      １．０％
黄色２０３号                                            ２．０ｐｐｍ
青色１号                                              １０．０ｐｐｍ
香料組成物Ａ                                            ０．１％
精製水                                                  残部
ｐＨ（原液）                                            ６．５
【００５３】
【発明の効果】
本発明によれば、泡立ちが良く、低温保存時の液安定性に優れ、しかも洗浄時の手肌の感触に優れると共に、洗浄性能の向上、洗浄剤による手荒れ防止効果を更に発揮せしめることができる台所用液体洗浄剤組成物が提供される。